(57)【特許請求の範囲】
【請求項１】
それぞれが平行になった複数の走査電極とそれぞれが平行になった複数のデータ電極とが直交状態で配置されており、各走査電極および各データ電極が線順次走査によるダイナミック駆動で動作される際に、各走査電極の１走査あたりの選択時間を同一にすると共に、各走査電極が選択されるフレーム信号の周期を特定の値にするためにダミーサイクルが設けられた液晶表示装置であって、
複数のフレームの該ダミーサイクル内において、選択される走査電極を変えながら該各走査電極がそれぞれの選択時間が等しくなるように選択され、液晶表示のコントラストを向上させるように駆動電圧を該データ電極に入力することを特徴とする液晶表示装置。
【請求項２】
前記ダミーサイクル内において複数の前記走査電極が選択される請求項１に記載の液晶表示装置。
【請求項３】
前記ダミーサイクル内の全範囲において前記走査電極が選択される請求項１に記載の液晶表示装置。
【発明の詳細な説明】
【０００１】
【発明の属する技術分野】
本発明は走査電極およびデータ電極によって駆動されるドットがマトリクス状に配置されている液晶表示装置に関するものである。
【０００２】
【従来の技術】
液晶表示パネルは、ドットマトリクスによって画像を表示するように構成されている。各ドットは、行方向の走査電極と列方向のデータ電極との交点に位置する液晶表示セルによって構成されている。例えば、行方向の走査電極は、Ｃ１、Ｃ２、・・・、Ｃｍのように表示され、列方向のデータ電極は、Ｓ１、Ｓ２、・・・、Ｓｎのように表示される。液晶表示装置は、Ｃ１からＣｍまでのいずれかの走査電極のひとつを時分割で順次駆動させるとともに、表示データに応じて各データ電極Ｓ１〜Ｓｎを駆動させて選択された走査電極Ｃ１〜Ｃｍとデータ電極Ｓ１〜Ｓｎとの各交点における走査電極とデータ電極との電圧差によって、液晶表示セルを光透過状態あるいは光遮断状態にすることでドットの表示を行っている。
【０００３】
すべての走査電極が選択されない期間であるダミーサイクルを用いた液晶表示装置が特開昭５８−７２１９１号公報に開示されている。図９は、このような液晶表示装置において単位時間の走査回数を示すフレーム信号に対応した走査電極Ｃ１〜Ｃｍに印加される駆動電圧波形と、データ電極Ｓ１〜Ｓｎに印加される駆動電圧波形とを、Ｃ１、Ｃ２、Ｃ３、Ｃｍ−１、Ｃｍの走査電極およびＳ１、Ｓ２のデータ電極について例示する。図９では、ＶＨ、Ｖ１、Ｖ２、Ｖ３、Ｖ４、ＶＬの５種類の電圧が駆動電圧となる。１フレーム目において走査電極Ｃ１が表示ラインとして選択されるとき、走査電極Ｃ１にはＶＨの駆動電圧が印加される（図９−１）。走査電極Ｃ１への駆動電圧印加に対応して、データ電極Ｓ１からＳｎは、走査電極Ｃ１との交点の液晶表示セルを点灯させる場合にはＶＬの駆動電圧が印加され、消灯させる場合にはＶ３の駆動電圧が印加される。走査電極Ｃ１が選択されているとき、データ電極Ｓ１は、ＶＬの駆動電圧が印加され（図９−２）、走査電極Ｃ１とデータ電極Ｓ１との液晶表示セルに（ＶＨ−ＶＬ）の電圧差が生じて、液晶表示セルは光が遮断されて点灯状態となる。一方、データ電極Ｓ２は、Ｖ３の駆動電圧が印加され（図９−３）、走査電極Ｃ１とデータ電極Ｓ２との交点の液晶表示セルの電圧差は（ＶＨ−Ｖ３）となり、液晶表示セルは、光が遮断されず消灯状態となる。選択されない走査電極は、Ｖ４の駆動電圧が印加されるため、走査電極とデータ電極との交点の液晶表示セルには（Ｖ４−Ｖ３）あるいは（Ｖ４−ＶＬ）の電圧差を生じるが、液晶表示セルは、光が遮断されず消灯状態となる。
【０００４】
液晶表示パネルは、交流駆動を行う必要があるため、１フレーム毎に電圧レベルを切り換えている。図９では、２フレーム目で駆動電圧レベルが切り換えられ、走査電極Ｃ１が表示ラインとして選択される場合には、走査電極Ｃ１にＶＬの駆動電圧が印加される（図９−４）。走査電極Ｃ１への駆動電圧印加に対応して、各データ電極には、走査電極Ｃ１との交点の液晶表示セルを点灯させるときにはＶＨの駆動電圧が印加され、消灯させるときにはＶ２の駆動電圧が印加される。走査電極Ｃ１が選択されているとき、データ電極Ｓ１は、ＶＨの駆動電圧が印加され（図９−５）、走査電極Ｃ１とデータ電極Ｓ１との液晶表示セルに（ＶＬ−ＶＨ）の電圧差が生じて、液晶表示セルは光が遮断されて点灯状態になる。一方、データ電極Ｓ２は、Ｖ２の駆動電圧が印加され（図９−６）、走査電極Ｃ１とデータ電極Ｓ１との交点の液晶表示セルの電圧差は、（ＶＬ−Ｖ２）となり、光が遮断されず消灯状態となる。選択されない走査電極は、Ｖ１の駆動電圧が印加されるため、その交点の液晶表示セルに（Ｖ１−ＶＨ）あるいは（Ｖ１−Ｖ２）の電圧差を生じるが、いずれも光は遮断されず消灯状態となる。
【０００５】
前述のように、液晶表示パネルを駆動させるには、フレーム信号に同期した一定周期の繰り返し液晶駆動信号を走査電極とデータ電極とに印加する。そのため、各走査電極は、フレーム信号の周期に同期して繰り返し選択されることになる。一般に、蛍光灯のような照明器具は、原理上、一定の周期で光の強さが変化する。この蛍光灯の発光の周期とフレーム信号の周期の関係が、ある条件を満たすとき、液晶画面のチラツキが発生する。液晶画面のチラツキを避けるには、フレーム信号の周期は、特定の範囲に収まるよう決定されなければならない。
【０００６】
一方、それぞれの液晶表示セルに電圧を印加する時間が異なると、液晶表示濃度の差が生じる。液晶表示濃度差の発生を防止するためには、各走査電極の選択時間を、等しくする必要がある。ところが、液晶駆動信号の基準となるクロック信号の周波数の値によっては、各走査電極の選択時間を同一にした場合、フレーム信号の周期が特定の範囲に収まらない場合が生じる。たとえば、消費電力を減少させることを目的として、液晶駆動信号の基準クロック信号である発振周波数を低く押さえる場合が考えられる。液晶駆動信号の基準クロック信号である発振周波数を低く押さえた場合、各走査電極の選択時間の選べる値が制約され、各走査電極の選択時間を近い値にした場合には、各走査電極の選択時間の値をどのような値にしても、フレーム信号の周期が特定の範囲に収まらないことがある。
【０００７】
このような問題を解決するため、斜線部（図９−７）で示すような、どの走査電極も選択されない時間（以後、ダミーサイクル）が設けられ、フレーム信号の周期を特定の範囲に収まるようにするとともに、各走査電極の選択時間を等しくすることが行われてきた。
【０００８】
【発明が解決しようとする課題】
前述の液晶表示装置では、フレーム信号の周期を特定の範囲に収まるようにするとともに、各走査電極の選択時間を等しくするために、ダミーサイクルを設けている。このため、ダミーサイクルの間は、どの走査電極も選択されず、その結果、各走査電極の平均選択時間が減少し、液晶表示のコントラストを低下させる要因となる。
【０００９】
本発明は、このような課題を解決するものであり、その目的は、上記のようなフレーム信号の周期を特定の範囲に収めるためにダミーサイクルを用いる液晶表示装置において、各走査電極の平均選択時間を増加させることで、液晶表示のコントラストを向上させた液晶表示装置を提供することである。
【００１０】
【課題を解決するための手段】
本発明の液晶表示装置は、それぞれが平行になった複数の走査電極とそれぞれが平行になった複数のデータ電極とが直交状態で配置されており、各走査電極および各データ電極が線順次走査によるダイナミック駆動で動作される際に、各走査電極の１走査あたりの選択時間を同一にすると共に、各走査電極が選択されるフレーム信号の周期を特定の値にするためにダミーサイクルが設けられた液晶表示装置であって、複数のフレームの該ダミーサイクル内において、選択される走査電極を変えながら該各走査電極がそれぞれの選択時間が等しくなるように選択され、液晶表示のコントラストを向上させるように駆動電圧を該データ電極に入力することを特徴とする。
【００１１】
前記ダミーサイクル内において複数の前記走査電極が選択される。
【００１２】
前記ダミーサイクル内の全範囲において前記走査電極が選択される。
【００１４】
【発明の実施の形態】
以下、図面を参照しながら本発明の実施の形態を説明する。
図５は本発明の液晶駆動装置の液晶表示パネル１の詳細図である。液晶表示パネル１は、それぞれが平行に配置された複数の走査電極１５：Ｃ１、Ｃ２、・・・、Ｃｍおよび複数のデータ電極１３：Ｓ１、Ｓ２、・・・、Ｓｎを直交するように配置して構成されている。各ドットは、走査電極１５：Ｃ１〜Ｃｍとデータ電極１３：Ｓ１〜Ｓｎとの交点に位置する液晶表示セルによって構成されており、各ドットがマトリクス状に配置されている。ドットの表示は、走査電極１５のＣ１からＣｍの１つを時分割で順次選択するとともに、表示データ１９に応じて各データ電極１３のＳ１からＳｎを駆動し、選択された走査電極１５：Ｃ１〜Ｃｍとデータ電極１３：Ｓ１〜Ｓｎとの各交点における、走査電極１５とデータ電極１３との電位差により、液晶表示セルを光透過状態あるいは光遮断状態にすることで行われる。
【００１５】
図１は、本発明の実施形態である液晶表示装置のブロック図である。液晶表示装置は、液晶表示パネル１、データ電極駆動装置２、走査電極駆動装置３、液晶駆動電圧生成装置４、液晶表示パネルの表示データ１９を記憶する表示用ＲＡＭ５、ＣＰＵ６、データ電極駆動装置２と走査電極駆動装置３および表示用ＲＡＭ５とを制御する制御装置７、ＲＯＭ８、ＲＡＭ９の装置で構成されている。
【００１６】
液晶表示パネル１は、データ電極１３にはデータ電極駆動装置２より駆動電圧を入力し、走査電極１５には走査電極駆動装置３により駆動電圧を入力することで駆動される。
【００１７】
データ電極駆動装置２は、制御装置７から出力されるデータ電極選択信号１０：ＳＢ１〜ＳＢｎとフレーム信号１１との値に基づいて、液晶駆動電圧生成装置４により生成される液晶駆動電圧１２：ＶＨ、Ｖ１、Ｖ２、Ｖ３、Ｖ４、ＶＬのいずれか１つを選択して、データ電極１３：Ｓ１〜Ｓｎに出力する。
【００１８】
走査電極駆動装置３は、制御装置７から出力される走査電極選択信号１４：ＣＦ１〜ＣＦｍとフレーム信号１１の値に基づいて、液晶駆動電圧１２：ＶＨ、Ｖ１、Ｖ２、Ｖ３、Ｖ４、ＶＬのいずれかを選択して、走査電極１５：Ｃ１〜Ｃｍに出力する。
【００１９】
液晶駆動電圧生成装置４は、データ電極駆動装置２および走査電極駆動装置３へ供給する液晶駆動電圧１２：ＶＨ、Ｖ１、Ｖ２、Ｖ３、Ｖ４、ＶＬを生成する。
【００２０】
表示用ＲＡＭ５は、ＣＰＵ６からの表示用ＲＡＭ制御信号１６とＣＰＵデータバス１７とにより表示データ１９の書き込みおよび読み出しを行うとともに、制御装置７からの表示データ読み出し制御信号１８に基づいて表示データ１９：ＳＡ１〜ＳＡｎの読み出しを行う。さらに、表示用ＲＡＭ５は、ＣＰＵ６および制御装置７から同時に制御された場合でも、それぞれ表示用ＲＡＭ制御信号１６と表示データ読み出し制御信号１８に基づいて、同時に動作できる。
【００２１】
ＣＰＵ６は、ＣＰＵ６の動作を記述した制御プログラム等が記憶されているＲＯＭ８と、プログラム制御用データ等を記憶させるＲＡＭ９とにより動作しており、さらに表示用ＲＡＭ制御信号１６およびＣＰＵデータバス１７に基づいて、表示用ＲＡＭ５への表示データ１９の書き込みと表示データ１９の読み出しとを行う。
【００２２】
制御装置７は、データ電極選択信号１０：ＳＢ１〜ＳＢｎをデータ電極駆動装置２へ、フレーム信号１１をデータ電極駆動装置２および走査電極駆動装置３へ、走査電極選択信号１４：ＣＦ１〜ＣＦｍを走査電極駆動装置３へ、表示データ読み出し制御信号１８を表示用ＲＡＭ５へ出力して、表示用ＲＡＭ５より表示データ１９：ＳＡ１〜ＳＡｎが入力される。
【００２３】
図２は、制御装置７の詳細なブロック図である。制御装置７は、制御信号生成装置２０、シフトレジスタＡ２１、シフトレジスタＢ２２、シフトレジスタＣ２３、走査電極選択装置Ａ２４、走査電極選択装置Ｂ２５、表示用ＲＡＭ制御装置２６、データ電極保持装置２７、走査電極保持装置２８の装置で構成されている。
【００２４】
制御信号生成装置２０は、基準クロック２９と、シフトクロックＡ３０と、シフトクロックＢ３１と、シフトクロックＣ３２と、選択信号Ａ３３と、選択信号Ｂ３４と、選択信号Ｃ３５と、フレーム信号１１とを生成して出力する。
【００２５】
シフトレジスタＡ２１は、シフトクロックＡ３０の立ち上がり時間に同期してシフトし、その値は走査電極選択信号３６：ＣＡ１〜ＣＡｍとして出力される。
【００２６】
シフトレジスタＢ２２は、シフトクロックＢ３１の立ち上がり時間に同期してシフトし、その値は走査電極選択信号３７：ＣＢ１〜ＣＢｍとして出力される。
【００２７】
シフトレジスタＣ２３は、シフトクロックＣ３２の立ち上がり時間に同期してシフトし、その値は走査電極選択信号３８：ＣＣ１〜ＣＣｍとして出力される。
【００２８】
走査電極選択装置Ａ２４は、選択信号Ａ３３がハイレベルの場合には、走査電極選択信号３７：ＣＢ１〜ＣＢｍを選択して走査電極選択信号３９：ＣＤ１〜ＣＤｍとして出力し、選択信号Ａがローレベルの場合には、走査電極選択信号３８：ＣＣ１〜ＣＣｍを選択して走査電極選択信号３９：ＣＤ１〜ＣＤｍとして出力する。
【００２９】
走査電極選択装置Ｂ２５は、選択信号Ｂ３４がハイレベルの場合には、走査電極選択信号３６：ＣＡ１〜ＣＡｍを選択して走査電極選択信号４０：ＣＥ１〜ＣＥｍとして出力し、選択信号Ｃ３５がハイレベルの場合には、走査電極選択信号３９：ＣＤ１〜ＣＤｍを選択して走査電極選択信号４０：ＣＥ１〜ＣＥｍとして出力する。
さらに、走査電極選択装置Ｂ２５は、選択信号Ｂ３４と選択信号Ｃ３５が共にローレベルの場合には、走査電極選択信号４０：ＣＥ１〜ＣＥｍをすべてローレベルとする。
【００３０】
表示用ＲＡＭ制御装置２６は、走査電極選択信号４０：ＣＥ１〜ＣＥｍの値に基づいて表示用ＲＡＭ５へ、選択される走査電極１５上の表示データ１９を読みだすための表示データ読み出し制御信号１８を出力する。
【００３１】
表示用ＲＡＭ５は、表示データ読み出し制御信号１８に基づいて、選択された走査電極１５上の表示データ１９：ＳＡ１〜ＳＡｎを出力する。
【００３２】
データ電極保持装置２７は、基準クロック２９の立ち上がり時間に同期して、表示データ１９：ＳＡ１〜ＳＡｎの値を保持し、データ電極選択信号１０：ＳＢ１〜ＳＢｎとして出力する。
【００３３】
データ電極保持装置２８は、基準クロック２９の立ち上がり時間に同期して、走査電極選択信号４０：ＣＥ１〜ＣＥｍの値を保持し、走査電極選択信号１４：ＣＦ１〜ＣＦｍとして出力する。
【００３４】
図３は、制御信号生成装置２０から出力される基準クロック２９、フレーム信号１１、選択信号Ａ３３、選択信号Ｂ３４、選択信号Ｃ３５、シフトクロックＡ３０、シフトクロックＢ３１、シフトクロックＣ３２の駆動電圧波形を示しており、これらの８種類の信号により、走査電極選択信号ＣＡ１〜ＣＡ４及びＣＡｍ、ＣＢ１〜ＣＢ４、ＣＣ１〜ＣＣ４、ＣＤ１〜ＣＤ４、ＣＥ１〜ＣＥ４、ＣＦ１〜ＣＦ４の駆動電圧波形がどのように出力されているかを示す。
【００３５】
図４は、フレーム信号１１、走査電極選択信号１４：ＣＦ１〜ＣＦ４の駆動電圧波形と、図５の液晶パネルを表示する場合のデータ電極選択信号１０であるＳＢ１、ＳＢ２の駆動電圧波形とを示しており、さらに走査電極選択信号１４：ＣＦ１〜ＣＦ４とデータ電極選択信号１０：ＳＢ１、ＳＢ２との駆動電圧波形に基づいて、データ電極駆動装置２からデータ電極１３：Ｓ１、Ｓ２へ印加される駆動電圧波形と、走査電極駆動装置３から走査電極１５：Ｃ１〜Ｃ４へ印加される駆動電圧波形とを示している。
【００３６】
図６は、本発明の液晶表示装置に設けられたダミーサイクルの実施形態の１つを示す。図６は、フレーム信号１１の駆動電圧波形と走査電極１５：Ｃ１〜Ｃｍに印加される駆動電圧波形およびデータ電極１３：Ｓ１〜Ｓｎに印加される駆動電圧波形とを示す。走査電極１５は、Ｃ１、Ｃ２、Ｃ３、Ｃｍ−１、Ｃｍを、データ電極１３は、Ｓ１、Ｓ２を例示する。図６では、ＶＨからＶ１、Ｖ２、Ｖ３、Ｖ４、ＶＬまでの５つの電圧が液晶駆動電圧１２となる。１フレーム目において、走査電極１５：Ｃ１が表示ラインとして選択されるとき、走査電極１５：Ｃ１は、ＶＨの駆動電圧が印可される（図６−１）。そしてデータ電極１３：Ｓ１からＳｎには、走査電極１５：Ｃ１との交点の液晶表示セルを点灯させるときにはＶＬの駆動電圧が印加され、消灯させるときにはＶ３の駆動電圧が印加される。例えば、走査電極１５：Ｃ１が選択されているとき、データ電極１３：Ｓ１にはＶＬの駆動電圧が印加され（図６−２）、その交点の液晶表示セルに（ＶＨ−ＶＬ）の電圧差が生じて、走査電極１５：Ｃ１とデータ電極１３：Ｓ１との液晶表示セルは、光が遮断されて点灯状態となる。一方、データ電極１３：Ｓ２にはＶ３の駆動電圧が印加され（図６−３）、その交点の液晶表示セルの電位差は（ＶＨ−Ｖ３）となり、走査電極１５：Ｃ１とデータ電極１３：Ｓ２との液晶表示セルは光が遮断されず消灯状態となる。
【００３７】
選択されない走査電極１５は、Ｖ４の駆動電圧が印加され、走査電極１５とデータ電極１３との交点の電圧差が（Ｖ４−Ｖ３）あるいは（Ｖ４−ＶＬ）となり、いずれも光は遮断されず消灯状態となる。
【００３８】
斜線部（図６−４）は、本発明のダミーサイクルである。１フレーム目のダミーサイクルでは、走査電極１５：Ｃ１が選択され、走査電極駆動装置３からＶＨの駆動電圧が印加される（図６−５）。そのとき、走査電極１５：Ｃ１とデータ電極１３：Ｓ１〜Ｓｎの交点の表示内容に対応して、データ電極１３：Ｓ１〜Ｓｎへデータ電極駆動装置２から駆動電圧が印加される。
【００３９】
データ電極１３：Ｓ１にはＶＬの駆動電圧が印加され（図６−６）、走査電極１５：Ｃ１とデータ電極１３：Ｓ１の交点の液晶表示セルは、（ＶＨ−ＶＬ）の電圧差が生じ、光が遮断されて点灯状態となる。データ電極１３：Ｓ２にはＶ３の駆動電圧が印加され（図６−７）、走査電極１５：Ｃ１とデータ電極１３：Ｓ２の交点の液晶表示セルは、（ＶＨ−Ｖ３）の電圧差が生じ、光が遮断されず消灯状態である。選択されない走査電極１５には、Ｖ４の駆動電圧が印加されるため、走査電極１５とデータ電極１３との交点の電圧差は（Ｖ４−Ｖ３）あるいは（Ｖ４−ＶＬ）となり、いずれも光が遮断されず消灯状態である。
【００４０】
液晶表示パネルは、交流駆動で動作を行うため、１フレーム毎に駆動電圧レベルを切り換える。電圧レベルが切り換えられている２フレーム目では、走査電極１５：Ｃ１が表示ラインとして選択される場合には、走査電極１５：Ｃ１にはＶＬの駆動電圧が印加される（図６−８）。そして、データ電極１３には、走査電極１５：Ｃ１との交点の液晶表示セルを点灯させるときにはＶＨの駆動電圧が印加され、消灯させるときにはＶ２の駆動電圧が印加される。２フレーム目のダミーサイクルにおいても走査電極１５：Ｃ１が選択され、ＶＬの駆動電圧が印加される（図６−９）。そのとき、データ電極１３：Ｓ１、はＶＨの駆動電圧が印加され（図６−１０）、データ電極１３：Ｓ２は、Ｖ２の駆動電圧が印加される（図６−１１）。同様に３フレーム目および４フレーム目のダミーサイクルでは、走査電極１５：Ｃ２が選択され（図６−１２）、５フレーム目および６フレーム目のダミーサイクルでは、走査電極１５：Ｃ３が選択される（図６−１３）。また、図示されていないが、７フレーム目以降のダミーサイクルについても同様に走査電極１５が順次選択される。
【００４１】
図７は、本発明の液晶表示装置に設けられたダミーサイクルの別の実施形態を示す。斜線部（図７−１）は、本発明のダミーサイクルである。図７は、ダミーサイクルを除くと、図６の駆動電圧波形と同様である。１フレーム目のダミーサイクルにおいて、走査電極１５：Ｃ１が選択され、ＶＨの駆動電圧が印加される（図７−２）。そのとき、走査電極１５：Ｃ１とデータ電極１３：Ｓ１〜Ｓｎの交点の表示内容に対応して、データ電極１３：Ｓ１〜Ｓｎへ駆動電圧が印加される。データ電極１３：Ｓ１にはＶＬの駆動電圧が印加され（図７−３）、走査電極１５：Ｃ１とデータ電極１３：Ｓ１の交点の液晶表示セルには、（ＶＨ−ＶＬ）の電圧差が生じ、光が遮断されて点灯状態となる。データ電極１３：Ｓ２にはＶ３の駆動電圧が印加され（図７−４）、走査電極１５：Ｃ１とデータ電極１３：Ｓ２の交点の液晶表示セルの電圧差は、（ＶＨ−Ｖ３）の電位差となり、光が遮断されず消灯状態である。
【００４２】
次に、走査電極１５：Ｃ２が選択され、ＶＨの駆動電圧が印加される（図７−５）。この時、走査電極１５：Ｃ１が選択された時と同様に、データ電極１３：Ｓ１には、Ｖ３の駆動電圧が印加され（図７−６）、データ電極１３：Ｓ２にはＶＬの駆動電圧が印加される（図７−７）。選択されない走査電極１５には、Ｖ４の駆動電圧が印加されるため、走査電極１５とデータ電極１３との交点の電圧差は（Ｖ４−Ｖ３）あるいは（Ｖ４−ＶＬ）となり、いずれも光は遮断されず消灯状態である。
【００４３】
２フレーム目のダミーサイクルにおいては、液晶表示パネルが交流駆動で動作を行うため、１フレーム目と駆動電圧レベルを切り換えて駆動される。１フレーム目のダミーサイクルの時と同様に、まず走査電極１５：Ｃ１が選択されてＶＬの駆動電圧が印加され（図７−８）、続いて走査電極１５：Ｃ２が選択されてＶＬの駆動電圧が印加される（図７−９）。
【００４４】
３フレーム目のダミーサイクルにおいては、２フレーム目と駆動電圧レベルを切り換えて駆動される。まず走査電極１５：Ｃ２が選択されてＶＨの駆動電圧が印加され（図７−１０）、続いて走査電極１５：Ｃ３が選択されてＶＨの駆動電圧が印加される（図７−１１）。４フレーム目のダミーサイクルにおいては、３フレーム目と電圧レベルを切り換えて駆動される。３フレーム目と同様に、走査電極１５：Ｃ２が選択されてＶＬの駆動電圧が印加され（図７−１２）、続いて走査電極１５：Ｃ３が選択されてＶＬの駆動電圧が印加される（図７−１３）。
【００４５】
５フレーム目および６フレーム目のダミーサイクルにおいても同様に、まず走査電極１５：Ｃｍ−１が選択され（図７−１４）、続いて走査電極１５：Ｃｍが選択される（図７−１５）。
【００４６】
また、図示されていないが、７フレーム目以降のダミーサイクル期間についても同様に走査電極１５が順次選択される。図７に示す実施形態では、ダミーサイクルに選択される走査電極１５が２つである例を示したが、３つ以上の場合も同様な動作である。また、ダミーサイクルにおいて選択される複数の走査電極の組合せは、どのような組合せであってもかまわない。
【００４７】
図８は、本発明の液晶表示装置に設けられたダミーサイクルのさらに別の実施形態を示す。斜線部（図８−１）は、本発明のダミーサイクルである。図８は、ダミーサイクル（図８−１）を除くと、図６、７の駆動電圧波形と同様である。
【００４８】
１フレーム目のダミーサイクルにおいて、走査電極１５：Ｃ１が選択され、ＶＨの駆動電圧が印加される（図８−２）。そのとき、走査電極１５：Ｃ１とデータ電極１３：Ｓ１〜Ｓｎの交点の表示内容に対応して、データ電極１３：Ｓ１〜Ｓｎ１３へ駆動電圧が印加される。データ電極１３：Ｓ１にはＶＬの駆動電圧が印加され（図８−３）、走査電極１５：Ｃ１とデータ電極１３：Ｓ１の交点の液晶表示セルには、（ＶＨ−ＶＬ）の電圧差が生じ、光が遮断されて点灯状態となる。データ電極１３：Ｓ２にはＶ３の駆動電圧が印加され（図８−４）、走査電極１５：Ｃ１とデータ電極１３：Ｓ２の交点の液晶表示セルの電圧差は、（ＶＨ−Ｖ３）の電位差となり、光が遮断されず消灯状態である。選択されない走査電極には、Ｖ４の駆動電圧が印加されるため、その電圧差は（Ｖ４−Ｖ３）あるいは（Ｖ４−ＶＬ）となり、いずれも光は遮断されず消灯状態である。
【００４９】
２フレーム目のダミーサイクルにおいては、交流駆動を行うため、１フレーム目と駆動電圧レベルを切り換えて駆動される。１フレーム目のダミーサイクルと同様に、走査電極１５：Ｃ１が選択され、ＶＬの駆動電圧が印加される（図８−５）。そのとき、データ電極１３：Ｓ１にはＶＨの駆動電圧が印加され（図８−６）、データ電極１３：Ｓ２にはＶ２の駆動電圧が印加される（図８−７）。同様に、３フレーム目および４フレーム目のダミーサイクルにおいては、走査電極１５：Ｃ２が選択され（図８−８）、５フレーム目および６フレーム目のダミーサイクルにおいては、走査電極１５：Ｃ３が選択される（図８−９）。また、図示されていないが、７フレーム目以降のダミーサイクルについても同様に走査電極が順次選択される。
【００５０】
さらに、図６、７、８において、ダミーサイクルで選択される走査電極１５の単位時間当たりの平均選択回数を等しくすることで、走査電極１５の平均選択時間を等しくすることができる。図６では、ダミーサイクルにおいて１つの走査電極１５を選択する場合には、１フレーム目と２フレーム目のダミーサイクルにおいて走査電極１５：Ｃ１を選択し、３フレーム目と４フレーム目のダミーサイクルにおいて走査電極１５：Ｃ２を選択するというように順番に走査電極を選択していき、走査電極１５：Ｃｍまで選択したあとは、ふたたび走査電極１５：Ｃ１に戻り選択していく。走査電極１５を選択する順番は、走査電極１５の選択回数が同じであればどのような順番でもよく、走査電極１５を何回選択してもよい。
【００５１】
図６の走査電極１５の選択方法は、図８に示すように、走査電極１５の選択時間がダミーサイクルすべての場合にも、同様に適用できる。
【００５２】
図７では、ダミーサイクルにおいて、複数の走査電極１５を選択する場合であり、１フレーム目と２フレーム目において走査電極１５：Ｃ１とＣ２を選択し、３フレーム目と４フレーム目において走査電極１５：Ｃ３とＣ４を選択するというように順番に走査電極１５を選択していき、走査電極１５：Ｃｍまで選択したあとは、ふたたび走査電極１５：Ｃ１に戻り選択していく。図７の場合でも、ダミーサイクルにおいて走査電極１５の選択回数が同じであればどのような順番で走査電極１５を選択してもよく、走査電極１５を何回選択してもよい。
【００５３】
前述のように、本発明の液晶表示装置は、ダミーサイクルにおいても、走査電極を選択しているので、各液晶部分の平均選択時間を増加させることが出来る。
さらに、本発明の液晶駆動方式は、フレーム信号の周期の値も変える必要がないので、液晶画面のチラツキも少ない。
【００５４】
また、本発明では、ダミーサイクルにおける走査電極の選択時間は、ダミーサイクルではない動作期間における走査電極の選択時間と同じでもよいし、異なっていてもよい。さらに、前述の実施形態ではダミーサイクルが各フレームの最後尾に設けられたが、各フレームの任意の位置に設けられてもよい。
【００５５】
【発明の効果】
以上より、本発明の液晶表示装置は、フレーム信号の周期を特定の範囲に収めるために設けられたダミーサイクル内において１つの走査電極を選択するようになっているために、各々の走査電極の平均選択時間が増加して液晶表示のコントラストを上げることができる。
【図面の簡単な説明】
【図１】本発明の液晶表示装置全体を表すブロック図である。
【図２】本発明の液晶表示装置の構成要素である制御装置の詳細なブロック図である。
【図３】制御装置の構成要素である制御信号生成装置、シフトレジスタ、走査電極選択装置、走査電極保持装置より出力される信号のタイムチャートである。
【図４】制御信号生成装置、走査電極保持装置、データ走査電極保持装置、走査電極駆動装置、データ走査電極駆動装置より出力される信号のタイムチャートである。
【図５】本発明の液晶表示装置の液晶表示パネルの詳細図である。
【図６】本発明の液晶表示装置でのフレーム信号および駆動電圧のタイムチャートである。
【図７】本発明の液晶表示装置でのフレーム信号および図６と異なる駆動電圧のタイムチャートである。
【図８】本発明の液晶表示装置でのフレーム信号および図７と異なる駆動電圧のタイムチャートである。
【図９】従来の液晶表示装置でのフレーム信号および駆動電圧のタイムチャートである。
【符号の説明】
１    液晶表示パネル
２    データ電極駆動装置
３    走査電極駆動装置
４    液晶駆動電圧生成装置
５    表示用ＲＡＭ
６    ＣＰＵ
７    制御装置
８    ＲＯＭ
９    ＲＡＭ
１０  データ電極選択信号：ＳＢ１〜ＳＢｎ
１１  フレーム信号
１２  液晶駆動電圧：ＶＨ、Ｖ１、Ｖ２、Ｖ３、Ｖ４、ＶＬ
１３  データ電極：Ｓ１〜Ｓｎ
１４  走査電極選択信号：ＣＦ１〜ＣＦｍ
１５  走査電極：Ｃ１〜Ｃｍ
１６  表示用ＲＡＭ制御信号
１７  ＣＰＵデータバス
１８  表示データ読み出し制御信号
１９  表示データ：ＳＡ１〜ＳＡｎ
２０  制御信号生成装置
２１  シフトレジスタＡ
２２  シフトレジスタＢ
２３  シフトレジスタＣ
２４  走査電極選択装置Ａ
２５  走査電極選択装置Ｂ
２６  表示用ＲＡＭ制御装置
２７  データ電極保持装置
２８  走査電極保持装置
２９  基準クロック
３０  シフトクロックＡ
３１  シフトクロックＢ
３２  シフトクロックＣ
３３  選択信号Ａ
３４  選択信号Ｂ
３５  選択信号Ｃ
３６  走査電極選択信号：ＣＡ１〜ＣＡｍ
３７  走査電極選択信号：ＣＢ１〜ＣＢｍ
３８  走査電極選択信号：ＣＣ１〜ＣＣｍ
３９  走査電極選択信号：ＣＤ１〜ＣＤｍ
４０  走査電極選択信号：ＣＥ１〜ＣＥｍ
【図１】
0004577735.tif 000002
【図２】
0004577735.tif 000003
【図３】
0004577735.tif 000004
【図４】
0004577735.tif 000005
【図５】
0004577735.tif 000006
【図６】
0004577735.tif 000007
【図７】
0004577735.tif 000008
【図８】
0004577735.tif 000009
【図９】
0004577735.tif 000010